(57)【特許請求の範囲】
【請求項１】
筆記具の長手方向の少なくとも一方の端部に備えられた消去部材固定部と、
前記消去部材固定部に固定された消去部材と、を具備する筆記具であって、
前記消去部材固定部が、側壁部と、前記側壁部によって形成される穴部とを有しており、
前記消去部材が、前記穴部を充填する基部と前記穴部の外側の外側部とを有し、前記基部で前記側壁部の内周面に接合されるとともに、前記外側部で前記側壁部の端面に接合され、前記消去部材の基部の端面の面積が、前記穴部の入口における前記基部の断面積よりも小さくなるように、前記側壁部の内周面が少なくとも一つの段付き部を有することを特徴とする、筆記具。
【発明の詳細な説明】
【技術分野】
【０００１】
本発明は、筆記された描線または文字を消去する消去部材を備える筆記具に関する。
【背景技術】
【０００２】
キャップの頂部に固定された消去部材を備える筆記具が例えば特許文献１に記載されている。特許文献１の筆記具は熱変色性インクを吐出するものであり、その消去部材は、熱変色性インクによって筆記された描線又は文字を擦り、そのとき生み出される摩擦熱により変色させて消去するものである。特許文献１に示される消去部材は、円柱状であって、キャップの先端に形成された円形の凹部に嵌着されるか、あるいは二色成形によりキャップへ一体に成形されて固定される。
【先行技術文献】
【特許文献】
【０００３】
【特許文献１】特開２００６−１２３３２４号公報
【発明の概要】
【発明が解決しようとする課題】
【０００４】
特許文献１に示されるような、キャップに設けられた円形の凹部に嵌着された単純な円柱状の消去部材は、それが二色成形法によってキャップに一体に成形された場合であっても、筆記された文字等を強く擦ることが繰返されるとキャップから外れることがあった。
【０００５】
本発明は、上述した従来技術の事情に鑑みて為されたものであり、強固に固定された消去部材を備える筆記具を提供することを目的とする。
【課題を解決するための手段】
【０００６】
前述の課題を解決するために、本発明の一態様によれば、筆記具の長手方向の少なくとも一方の端部に備えられた消去部材固定部と、消去部材固定部に固定された消去部材と、を具備する筆記具であって、消去部材固定部は、側壁部と、該側壁部によって形成される穴部とを有しており、消去部材は、穴部を充填する基部と穴部の外側の外側部とを有しており、消去部材が、その基部で側壁部の内周面に接合されるとともに、その外側部で側壁部の端面に接合されることを特徴とする筆記具が提供される。
【０００７】
また、別の態様によれば、穴部が有底の穴部であるように、消去部材固定部が、側壁部に結合された底壁部を有しており、消去部材が、底壁部にも接合されることを特徴とする筆記具が提供される。
【０００８】
また、別の態様によれば、消去部材の基部の端面の面積が、穴部の入口における基部の断面積よりも小さくなるように、側壁部の内周面が少なくとも一つの段付き部を有することを特徴とする筆記具が提供される。
【０００９】
また、別の態様によれば、消去部材の基部は、横断面の輪郭が円形からなる部分及び非円形からなる部分の少なくとも一方を有することを特徴とする筆記具が提供される。
【００１０】
また、底壁部が貫通穴を有することを特徴とする筆記具が提供される。
【００１１】
また、別の態様によれば、側壁部の端面に段差が形成されることにより、側壁部の端面が、内周側端面と、該内周側端面よりも後退した外周側端面とから形成されることを特徴とする筆記具が提供される。
【００１２】
また、消去部材固定部が、底壁部から穴部内へ突出する柱状部を有することを特徴とする筆記具が提供される。
【００１３】
また、別の態様によれば、消去部材固定部と消去部材とが多色成形法により成形されて結合されることを特徴とする筆記具が提供される。
【発明の効果】
【００１４】
本発明によると、消去部材を装着した筆記具において、強く擦過された場合でも消去部材の筆記具本体からの脱落が防止され、また長期に亘り消去部材の保持力を確保し、また消去部材の体積を減らしてコストダウンを実現することが可能になる。
【図面の簡単な説明】
【００１５】
【図１】本発明の第１の実施形態による筆記具の正面図である。
【図２】図１に示される筆記具の縦断面図である。
【図３】本発明の第１の実施形態による筆記具の操作部を表す図であって、（Ａ）は正面図、（Ｂ）は縦断面図、（Ｃ）は（Ａ）のＣ−Ｃ断面図である。
【図４】本発明の第１の実施形態の変形例による筆記具の操作部を表す図であって、（Ａ）は縦断面図及び（Ｂ）は（Ａ）のＢ−Ｂ断面図である。
【図５】本発明の第２の実施形態による筆記具の操作部を表す図であって、（Ａ）は正面図、（Ｂ）は縦断面図、（Ｃ）及び（Ｄ）はそれぞれ（Ａ）のＣ−Ｃ及びＤ−Ｄ断面図である。
【図６】本発明の第３の実施形態による筆記具の操作部を表す図であって、（Ａ）は正面図、（Ｂ）は縦断面図、（Ｃ）、（Ｄ）及び（Ｅ）はそれぞれ（Ａ）のＣ−Ｃ、Ｄ−Ｄ及びＥ−Ｅ断面図である。
【図７】本発明の第３の実施形態の変形例による筆記具の操作部の縦断面図である。
【図８】本発明の第４の実施形態による筆記具の操作部を表す図であって、（Ａ）は正面図、（Ｂ）は縦断面図、（Ｃ）及び（Ｄ）はそれぞれ（Ａ）のＣ−Ｃ及びＤ−Ｄ断面図である。
【図９】本発明の第５の実施形態による筆記具の操作部を表す図であって、（Ａ）は縦断面図、（Ｂ）は（Ａ）のＢ−Ｂ断面図である。
【図１０】本発明の第６の実施形態による筆記具の操作部の縦断面図である。
【発明を実施するための形態】
【００１６】
以下、図面を参照しながら、本発明の実施形態を説明する。全図面に亘り、対応する構成要素には共通の参照符号が付される。
【００１７】
図１及び図２は、それぞれ、本発明の第１の実施形態による筆記具１の正面図及び縦断面図である。筆記具１は、ノック式のボールペンタイプの筆記具１であり、筒状に形成され且つ前軸２及び後軸３を備えた軸筒４と、熱変色性インクが収容されたリフィル５であって、軸筒４内に配置され且つ一端に筆記部５ａを備えた筆記体であるリフィル５と、リフィル５を後方へ付勢するスプリング６と、軸筒４の後端部、すなわち後軸３の後端部に配置されたノック機構１０とを有する。
なお、本明細書中では、筆記具１の長手方向において、筆記部５ａ側を「前」側と規定し、その反対側を「後」側と規定する。
【００１８】
ノック機構１０は、それぞれ筒状に形成された内筒２０と操作部３０と回転子２５とを有する。内筒２０は、その外側面からほぼ長手方向に延びるクリップ部２０ａを有する。前軸２の前端部はテーパー状に形成され、リフィル５の筆記部５ａを突出させるための貫通孔２ａが形成されている。前軸２の後端部は、後軸３の前端部の内部に挿入され、圧入によって嵌合している。
【００１９】
ノック機構１０は、操作部３０を押圧するノック操作を行うことによって、ノック式ボールペンとしてよく知られた運動、即ち、リフィル５の筆記部５ａが貫通孔２ａから突出する筆記状態と、筆記部５ａが貫通孔２ａの内側に収容される非筆記状態とを交互に切り替えることを可能にするように各部が形成されている。
【００２０】
軸筒４内において、ノック機構１０の前方、すなわち回転子２５の前方には、ノックロック部材１５が配置されている。ノックロック部材１５は、重力によって軸筒４内を前後方向に移動可能であり、筆記部５ａが下を向いてノックロック部材１５が軸筒４内を前方に移動した時には、ノック機構１０に作用することなく、ノック操作を可能にする。一方、筆記部５ａが上を向いて、ノックロック部材１５が後軸４内を後方に移動した時には、ノック機構１０に作用して、ノック操作ができないようにする。
【００２１】
なお、熱変色性インクとは、常温（例えば２５℃）で所定の色彩（第１色）を維持し、所定温度（例えば６５℃）まで昇温させると別の色彩（第２色）へと変化し、その後、所定温度（例えば−１０℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」ということとする。従って本態様では、描線が筆記された紙面等に対して消去部材５０によって擦過して摩擦熱を生じさせ、それによって描線を無色に変化、すなわち消去させる。なお、当然のことながら上記第２色は、無色以外の有色でもよい。
【００２２】
次に、図３を参照して、本実施形態の筆記具１のノック機構の操作部３０についてより詳しく説明する。操作部３０は概ね円筒状に形成されたノック棒４０と、筆記された描線又は文字を擦過によって消去するための消去部材５０とを具備している。ノック棒４０は、ノック機構１０の機構部品として機能するために、その前側の外周面に８つの突起部４１を、またその前端面にカム面４２を公知の様態で有している。また、ノック棒４０は、消去部材５０を固定するための消去部材固定部としても機能するために、その後部に、筆記具１の長手方向に延びる穴部４３を有している。穴部４３は、図３の（Ｃ）に示されるように、本実施形態ではその横断面形状は円形である。また、穴部４３は、有底の穴部４３であって、ノック棒４０の側壁部４４と、前記側壁部４４にほぼ直交して結合されている底壁部４５とによって形成されていて、その内部は、消去部材５０で充填される。
【００２３】
消去部材５０は、穴部４３を充填する比較的細径の基部５１と、筆跡等を擦過する外側部５２であって、ノック棒４０の外径とほぼ等しい直径を有する比較的大径の外側部５２とを有し、その結果、基部５１と外側部５２の外径の差に基づいて肩状部５３が外側部５２に形成される。
【００２４】
消去部材５０を形成する材料は、ノック棒４０を形成する材料とは異なっており、例えば、シリコーンゴム、ニトリルゴム、エチレンプロピレンゴム、エチレンプロピレンジエンゴム等の熱硬化性ゴムやスチレン系エラストマー、オレフィン系エラストマー、ポリエステル系エラストマー等の熱可塑性エラストマーといったゴム弾性材料、２種以上のゴム弾性材料の混合物、及びゴム弾性材料と合成樹脂との混合物が用いられる。
【００２５】
ノック棒４０と消去部材５０は、接着あるいは二色成形法等によって互いに接合されることが可能である。本実施形態では、ノック棒４０と消去部材５０は二色成形法を用いて成形されて互いに接合される。二色成形法を用いた場合、最初にノック棒４０が射出成形され、次に、成形されたノック棒４０を残置する金型のコアに、消去部材５０を成形するための金型のキャビティーが組み合わされて、ノック棒４０とは異なる、例えば上述したようなゴム系の材料が射出されて消去部材５０がノック棒４０に付加的に成形される。二色成形法により、ノック棒４０と消去部材５０の表面は、用いられる材料にもよるが、比較的高い強度で接合される。ただし、ノック棒４０と消去部材５０が接着によって互いに接合される実施形態も前述したように可能である。
【００２６】
本実施形態では、消去部材５０は、二色成形時に穴部４３に充填された基部５１によりノック棒４０の側壁部４４の内周面と底壁部４５に接合されるだけではなく、外側部５２の肩状部５３によりノック棒４０の側壁部４４の端面４６にも接合される。その結果、消去部材５０とノック棒４０との高い接合強度を得ることができる。
【００２７】
次に、第１の実施形態における操作部３０の変形例を、図４を参照して説明する。この変形例では、消去部材５０の基部５１の横断面形状は、図４の（Ｂ）に示されるように、円形ではなく、円形から二つの対向する弓形を削除した形状をしている。換言すると、消去部材５０の基部５１の横断面の輪郭は、二つの円弧５１ｒとそれらを結ぶ二本の直線５１ｓとから点対称に形成されている。このように消去部材５０の基部５１及び従ってノック棒４０の穴部４３を形成すると、前記直線５１ｓ部分によって、長手方向の軸線回りに消去部材５０に作用するねじりモーメントに対する構造的な支持部が提供される。
【００２８】
この変形例では、消去部材５０の基部５１の横断面形状は、二つの円弧５１ｒとそれらを結ぶ二本の直線５１ｓとから点対称に形成されているが、基部５１の横断面形状は、ねじりモーメントを支持できる非円形の様々な形状が可能であり、例えば、楕円形、点対称ではない形状、または一本だけの直線もしくは三本以上の直線と円弧との組合せ形状、または多角形、または外周にセレーションを有する形状等であってもよい。
【００２９】
次に、本発明の第２の実施形態による筆記具１について図５を参照して以下に説明する。この筆記具１は、その操作部３０だけが第１の実施形態のものと異なっているので、操作部３０について以下に説明する。
【００３０】
図５の操作部３０は概ね円筒状に形成されたノック棒４０と、消去部材５０とを具備している。ノック棒４０は、その後部において、側壁部４４と底壁部４５とによって形成された、筆記具１の長手方向に延びる穴部４３を有している。穴部４３は、図５の（Ｂ）に示されるように、内径を縮小する段付き部４７を有し、その結果、底側の小径部と入口側の大径部とを有する。また、小径部及び大径部の横断面形状は、図５の（Ｃ）及び（Ｄ）に示されるように、いずれも円形である。
【００３１】
第２の実施形態における消去部材５０は、穴部４３の形状に対応して、その基部５１に小径部５１ａと大径部５１ｂとが形成される。消去部材５０の外側部５２は、第１の実施形態の場合に同じであり、ノック棒４０の外径とほぼ等しい直径と、基部５１との外径の差に基づく肩状部５３を有する。
【００３２】
第２の実施形態では、消去部材５０は、その基部５１の端部側が細くなるが、テーパー状ではなく階段状に細くなっているので、ノック棒４０との径方向の接合面積は第１の実施形態の場合に等しい。そのため、第１の実施形態の場合から接合強度を低下させることなく、ノック棒４０よりも高価な材料が用いられることの多い消去部材５０の体積を減らすことが可能になる。
【００３３】
次に、本発明の第３の実施形態による筆記具１について図６を参照して以下に説明する。この筆記具１も、その操作部３０だけが第１の実施形態及び第２の実施形態のものと異なっているので、操作部３０について以下に説明する。
【００３４】
第３の実施形態による操作部３０のノック棒４０の穴部４３は、図６の（Ｂ）に示されるように、内径を縮小する二箇所の段付き部４７、４８を有し、その結果、底側の小径部と入口側の大径部とそれらの間の中径部とを有する。また、小径部及び大径部の横断面形状は、図６の（Ｃ）及び（Ｅ）に示されるように円形であるが、中径部は、図６の（Ｄ）に示されるように、その横断面の輪郭が、第１の実施形態の変形例の穴部４３と同様に、二つの円弧５１ｒとそれらを結ぶ二本の直線５１ｓとから点対称に形成されている。
【００３５】
第３の実施形態における消去部材５０は、穴部４３の形状に対応して、その基部５１に小径部５１ａと中径部５１ｃと大径部５１ｂが形成される。消去部材５０の外側部５２は、第１の実施形態の場合に同じであり、ノック棒４０の外径とほぼ等しい直径と、基部５１との外径の差に基づく肩状部５３を有する。
【００３６】
第３の実施形態では、第１の実施形態の変形例の場合と同様に、穴部４３の非円形の中径部によってねじりモーメントに対する構造的な支持部が提供される一方で、第２の実施形態の場合と同様に、階段状に細くなっているので、径方向の接合面積を低下させることなく、消去部材５０の体積を減らすことが可能となる。
【００３７】
次に、本発明の第３の実施形態による筆記具１の変形例について図７を参照して以下に説明する。この筆記具１は、その操作部３０のノック棒４０の底壁部４５の中心に、比較的小さな貫通穴４５ａが設けられている点で第３の実施形態の操作部３０と異なるが、その他の点では全く同じである。
【００３８】
このように、底壁部４５に貫通穴４５ａを設けることによって、二色成形時において、消去部材５０を射出成形するときに成形材料から発生するガスの逃げ道が確保され、その結果、消去部材５０の基部５１における充填不足等の成形不良を防止することが可能になる。
【００３９】
次に、本発明の第４の実施形態による筆記具１について図８を参照して以下に説明する。この筆記具１は、その操作部３０のノック棒４０の側壁部４４の端面４６に段差が設けられているという点で第１の実施形態のものと異なっているが、その他の点については全く同じである。
【００４０】
前記段差は外周側が後退するように形成されており、その結果、側壁部４４の端面４６は、内周側端面４６ａと、その内周側端面４６ａよりも後退した同軸の外周側端面４６ｂとから形成される。内周側端面４６ａと外周側端面４６ｂには、やはり消去部材５０の外側部５２が接合して、前記段差は消去部材５０によって埋められる。
【００４１】
ノック棒４０の側壁部４４の端面４６をこのように形成することによって、消去部材５０とノック棒４０の接合面積が増大することはもちろん、消去部材５０の使用時にそれに作用する曲げモーメントに対する支持箇所が第１の実施形態の場合よりも増え、その結果接合強度が高まるという効果が得られる。
【００４２】
次に、本発明の第５の実施形態による筆記具１について図９を参照して以下に説明する。この筆記具１は、操作部３０のノック棒４０が、図９の（Ａ）の縦断面図に示されるように、底壁部４５から穴部４３内へ突出する柱状部４９を有する点において第１の実施形態のものと異なっているが、その他の点については全く同じである。
【００４３】
この実施形態における柱状部４９は、図９の（Ｂ）の横断面図に示されるように、円柱状のものであって、底壁部４５の中心から立設されている。柱状部４９の先端面の位置は、本実施形態では、側壁部４４の端面４６と同一面にあるが、それ未満でもそれを越えて延びてもよい。
【００４４】
このように、穴部４３の中へ柱状部４９を立設することにより、ノック棒４０と消去部材５０との接合面積が増大することによって接合強度が高まると共に、比較的高価な消去部材５０の体積が減少するので、操作部３０の材料費が低減される。なお、柱状部は円柱に限らず、多角形や、断面が円と直線を組み合わせた形状の柱状部等としてもよい。
【００４５】
前述した第１〜第５の実施形態では、操作部３０のノック棒４０は、底壁部４５を有するものであったが、図１０に示されるように、底壁部を有しない第６の実施形態も可能である。この実施形態の場合、ノック棒４０の側壁部４４とその端面４６とが消去部材５０の基部５１と外側部５２の肩状部５３にそれぞれ接合される。
【００４６】
前述した各実施形態では、消去部材５０とノック棒４０は、二色成形法によって成形されたが、それらが、性能もしくは機能を高めるため、又は意匠上の要請から三種以上の多色成形法によって成形される実施形態も可能である。
【００４７】
前述した各実施形態では、筆記具１は熱変色性インクを吐出するものであって、消去部材５０による消去は、筆記された描線又は文字を摩擦熱によって昇温させることにより為されるが、熱変色性インク以外を用いる消去部材で筆跡を消せる筆記具の実施形態でも可能である。その場合の消去部材は、筆記された描線又は文字を、擦過により吸着するか又は削ぎ落とす消しゴムのように働くものである。
【００４８】
前述の各実施形態で示された各特徴を組み合わせた実施形態も様々に可能であり、またこのことは例示をするまでもなく明らかであろう。
【００４９】
前述の実施形態の筆記具１は、ノック式のボールペンタイプの筆記具１であって、消去部材５０がノック機構の操作部３０のノック棒４０に接合されたものであったが、本発明における筆記具１は、ノック式のボールペンタイプのものに限られるわけではなく、消去部材５０が固定された任意のタイプの筆記具であってよい。例えば非ノック式のキャップ付き筆記具に本発明を適用することも可能であり、その場合、穴部の形成された消去部材固定部が、筆記具の軸筒の後端部あるいはキャップの前端部に設けられ、そこに消去部材が接合される。
【符号の説明】
【００５０】
１    筆記具
３０    操作部
４０    ノック棒
４３    穴部
４４    側壁部
４５    底壁部
４６    端面
５０    消去部材
５１    基部
５２    外側部
５３    肩状部
【図１】
0006506540.tif 000002
【図２】
0006506540.tif 000003
【図３】
0006506540.tif 000004
【図４】
0006506540.tif 000005
【図５】
0006506540.tif 000006
【図６】
0006506540.tif 000007
【図７】
0006506540.tif 000008
【図８】
0006506540.tif 000009
【図９】
0006506540.tif 000010
【図１０】
0006506540.tif 000011